【手続補正書】
【提出日】平成28年2月20日(2016.2.20)
【手続補正１】
【補正対象書類名】特許請求の範囲
【補正対象項目名】全文
【補正方法】変更
【補正の内容】
【特許請求の範囲】
【請求項１】
靴の中に配置するインソールであって、
実質的に当該インソールの全長にわたり延在する頂部シートであって、足指端部および踵端部を有する、頂部シートと、
実質的に当該インソールの全長にわたり延在する支持基部クッションであって、足指端部および踵端部を有し、前記頂部シートに固定された頂面および底面を有し、当該インソールの前記足指端部から中足骨領域まで延在して前足部クッションを受容するようなっている前足部中間クッション領域を有し、前記中足骨領域から前記踵端部まで延在する後方領域を有して踵部クッションを受容するようなっている、支持基部クッションと
を有し、
前記前足部クッションは、前記支持基部クッションの前記前足部中間クッション領域に固定される頂面と底面とを有し、
前記踵部クッションは、前記支持基部クッションの前記底面に固定された頂面と底面とを有し、前記踵部クッションは、全体として足の踵端部の下に配置され、前記インソールの前記踵端部の周囲で上方へ延在する側面から内側面を有する
インソール。
【請求項２】
請求項１に記載のインソールにおいて、このインソールは、さらに、
頂面および底面を有し、前記支持基部クッションの前記底面に固定された内側支持クレードルであって、足のアーチ領域の下に配置され、前記支持基部クッションの前記踵端部へ向かって後方へ延在する、内側支持クレードルを有するものであるインソール。
【請求項３】
請求項１に記載のインソールにおいて、このインソールは、さらに、
底面と、前記支持基部クッションの前記底面に固定された頂面とを有する外側支持クレードルであって、足の中足骨領域の下に配置され、前記インソールの前記側部へ向かって外方へ延在し、次いで前記踵部クッションに隣接するまで前記側部に沿って後方および上方へ延在する、外側支持クレードルを有するものであるインソール。
【請求項４】
請求項１に記載のインソールにおいて、このインソールは、さらに、
前足部中間クッションであって、前記支持基部クッションと、前記前足部中間クッション領域の前記前足部クッションとの間に固定された前足部中間クッションを有するものであるインソール。
【請求項５】
靴に使用するインソールを作製する方法であって、
実質的に当該インソールの全長にわたり延在する頂部シートを提供する工程であって、前記頂部シートは足指端部および踵端部を有する、工程と、
支持基部クッションを提供する工程であって、前記支持基部クッションは頂面および底面を有し、前記インソールの全長にわたり延在する、工程と、
前記支持基部クッションの前記頂面に沿って前記支持基部クッションを前記頂部シートに合着させる工程であって、前記支持基部クッションは、足指端部および踵端部を有し、前記支持基部クッションの前記底面は、前記インソールの前記足指端部から中足骨領域まで延在する前足部中間クッション領域を有して、当該前足部中間クッション領域内に前足部クッションを受容するようなっており、前記支持基部クッションは、前記中足骨領域から前記踵端部まで延在する後方領域を有し、前記支持基部クッションの前記底面は、前記後方領域において、踵部クッションを受容するようなっている、工程と、
頂面および底面を有する前記前足部クッションを、当該前足部クッションの前記頂面を前記支持基部クッションに固定することにより、前記前足部中間クッション領域で前記支持基部クッションに合着させる工程と、
頂面および底面を有する前記踵部クッションを、当該踵部クッションの前記頂面を前記支持基部クッションの前記底面に固定することにより、前記支持基部クッションに合着させる工程であって、前記踵部クッションは、全体として足の踵部領域の下に配置され、前記支持基部クッションの前記踵端部の側部の周囲に横方向へ延在する側面を有する、工程と
を有する方法。
【請求項６】
請求項５に記載の方法において、さらに、
頂面および底面を有する前記内側支持クレードルを、当該内側支持クレードルの前記頂面を前記支持基部クッションの前記底面に固定することにより、前記支持基部クッションに合着させる工程であって、前記内側支持クレードルは、足のアーチ領域の下に配置され、前記支持基部クッションの前記踵部領域へ向かって後方へ延在し、前記支持基部クッションの前記側部の前記踵端部の周囲に部分的に延在する、工程を有するものである方法。
【請求項７】
請求項５に記載の方法において、さらに、
頂面および底面を有する前記外側支持クレードルを、当該外側支持クレードルの前記頂面を前記支持基部クッションの前記底面に固定することにより、前記支持基部クッションに合着させる工程であって、前記外側支持クレードルは、前記インソールの中足骨領域の下に配置され、前記支持基部クッションの前記側部へ向かって外方へ延在し、次いで前記踵部クッションに隣接するよう後方へ延在する、工程を有するものである方法。
【請求項８】
請求項５に記載の方法において、さらに、
前記支持基部クッションと、前記前足部中間クッション領域の前記前足部クッションとの間に、前足部中間クッションを固定する工程を有するものである方法。
【請求項９】
請求項１に記載のインソールにおいて、前記頂部シートは、ポリエステル布帛であるインソール。
【請求項１０】
請求項１に記載のインソールにおいて、前記支持基部クッションは、ポリウレタン（ＰＵ）材料であるインソール。
【請求項１１】
請求項１０に記載のインソールにおいて、前記ポリウレタン（ＰＵ）材料は、アスカーＣで約４０±３の硬度値を有するものであるインソール。
【請求項１２】
請求項１に記載のインソールにおいて、前記内側支持クレードルおよび外側支持クレードルは、熱可塑性ポリウレタン（ＴＰＵ）材料であるインソール。
【請求項１３】
請求項１２に記載のインソールにおいて、前記熱可塑性ポリウレタン（ＴＰＵ）材料は、タイプＤで約６４±３の硬度値を有するものであるインソール。
【請求項１４】
請求項１に記載のインソールにおいて、前記踵部クッションは、熱可塑性ゴムゲル（ＴＰＲ）材料であるインソール。
【請求項１５】
請求項１４に記載のインソールにおいて、前記熱可塑性ゴムゲル（ＴＰＲ）材料は、アスカーＣで約３０±３の硬度値を有するものであるインソール。
【請求項１６】
請求項１に記載のインソールにおいて、前記前足部クッションは、エチレン酢酸ビニル（ＥＶＡ）材料であるインソール。
【請求項１７】
請求項１６に記載のインソールにおいて、前記エチレン酢酸ビニル（ＥＶＡ）材料は、アスカーＣで約２１±３の硬度値を有するものであるインソール。
【手続補正２】
【補正対象書類名】明細書
【補正対象項目名】０００７
【補正方法】変更
【補正の内容】
【０００７】
上記の問題に対処することを目的とした装置の１つは、Ｓｐｅｎｃｏ  Ｍｅｄｉｃａｌ  Ｃｏｒｐｏｒａｔｉｏｎに譲渡された米国特許第７，７２１，４６７号に記述され、請求されている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００７／０５６１０１号
（特許文献２）  米国特許出願公開第２０１０／０１２６０４４号明細書
（特許文献３）  米国特許出願公開第２０１１／０２５２６７１号明細書
（特許文献４）  米国特許出願公開第２００４／０１１８０１７号明細書
（特許文献５）  国際公開第２００７／０２１３２８号